(57)【特許請求の範囲】
【請求項１】
ニコチン粉末吸入器であって、
マウスピース部分と遠位端部分の間に延びる本体と、
前記マウスピース部分と前記遠位端部分の間に延びる空気流チャネルと、
前記空気流チャネルに沿って配置され、かつニコチン塩を含む用量のニコチン粉末を含むカプセルを受けるように構成されている、ニコチン粉末容器と、
前記空気流チャネルと流体連通した風味送達要素と、
前記カプセルを貫通するように構成されている貫通要素と、
前記空気流チャネルの前記遠位端部分の側に設けられ且つ前記遠位端部分と流体連通した前記空気流チャネルの２つ以上の経路からの気流内に回転運動を誘発するように構成された渦発生器要素とを含み、
前記用量のニコチン粉末が約５Ｌ／ｍｉｎ未満の吸入速度でユーザーの肺に吸入されうる、ニコチン粉末吸入器。
【請求項２】
前記風味送達要素が前記ニコチン粉末容器の上流である、請求項１に記載のニコチン粉末吸入器。
【請求項３】
前記風味送達要素が前記ニコチン粉末容器の下流である、請求項１に記載のニコチン粉末吸入器。
【請求項４】
風味容器を含む第二の空気流チャネルをさらに備え、前記風味容器が前記ニコチン粉末容器と並列の流れの関係にある、請求項１に記載のニコチン粉末吸入器。
【請求項５】
前記風味送達要素が粉末風味剤を含む、請求項１〜４のいずれか１項に記載のニコチン粉末吸入器。
【請求項６】
前記風味送達要素が液体風味剤を含む、請求項１〜５のいずれか１項に記載のニコチン粉末吸入器。
【請求項７】
前記カプセルが粉末風味剤を含む前記風味送達要素をさらに含む、請求項１に記載のニコチン粉末吸入器。
【請求項８】
前記風味送達要素が、ユーザーが破裂させて風味剤を放出しうる粉砕可能なカプセルを備える、請求項１〜７のいずれか１項に記載のニコチン粉末吸入器。
【請求項９】
前記ニコチン粉末容器の上流にあるフィルター要素をさらに備え、前記風味送達要素が前記フィルター要素内に配置されている、請求項１〜８のいずれか１項に記載のニコチン粉末吸入器。
【請求項１０】
前記風味送達要素がメントールを含浸させた糸である、請求項９に記載のニコチン粉末吸入器。
【請求項１１】
用量の第二の有効な薬剤をさらに含む、請求項１〜１０のいずれか１項に記載のニコチン粉末吸入器。
【請求項１２】
請求項１〜１１のいずれか１項に記載のニコチン粉末吸入器であって、前記ニコチン粉末吸入器は、風味付きのニコチンを約２Ｌ／ｍｉｎ未満の流速でユーザーの肺に送達するように構成されている、ニコチン粉末吸入器。
【発明の詳細な説明】
【技術分野】
【０００１】
本開示は、風味付きニコチン粉末が低い空気の流速送達される風味付きニコチン粉末吸入器に関連する。
【背景技術】
【０００２】
乾燥粉末吸入器（ＤＰＩ）が周知であり、エアロゾルの形態の医薬品を含む乾燥粉末を吸入よって患者の気道に送達することにより、呼吸器疾患を治療するために使用される。肺に深く送達するために、１〜５マイクロメートルの範囲の粒子が要求される。医薬品乾燥粉末では、医薬品有効成分（ＡＰＩ）は、より大きな単体粒子（例えば、ラクトース）の表面上に凝集され、したがって、ＤＰＩはＡＰＩが肺に深く吸入できるようになる前に、こうした凝集の分散、分解または脱凝集を確実にする複雑な機構を作動させる。担体としてラクトースを含む医薬品乾燥粉末は一般に２０〜１００マイクロメートルの範囲である。既存のＤＰＩは例えば、まず乾燥粉末を「粉砕」または脱凝集するか、または結果的に上述の粒子サイズ範囲になるように大きめの乾燥粉末の粒子を衝突させる。
【０００３】
ＤＰＩは、患者が吸入する力に依存して装置からの粉末を混入し、その後で粉末を肺に入るのに十分に小さい粒子に分散させる。正しい用量および完全な粉末の脱凝集を確実にするために、十分に高い吸入速度が要求される。一般に大量のＡＰＩが担体の表面に付着したまま残り、粉末の不完全な脱凝集により上部気道に沈着される。既存のＤＰＩの吸入速度は、普通は４０〜１２０リットル／分（Ｌ／ｍｉｎ）の範囲である。したがって、既存のＤＰＩは、喫煙物品に関連付けられた吸入速度と異なる方法で乾燥粉末をユーザーに送達することにのみ適している。
【０００４】
従来的な喫煙法の吸入または空気の流速に近いかまたはその範囲内の吸入または空気の流速で風味付きニコチン粉末をユーザーに送達できる風味付きニコチン粉末吸入器を提供できれば望ましいであろう。従来的な紙巻たばこと同様なサイズおよび構成の風味付きニコチン粉末吸入器を提供できれば望ましいであろう。計量された用量の風味付きニコチンおよびオプションでの第二の有効成分の同時送達を提供可能な風味付きニコチン粉末吸入器を提供できれば望ましいであろう。
【発明の概要】
【０００５】
本明細書で説明した本発明の風味付きニコチン粉末吸入器は、風味付きニコチンを従来的な喫煙法での吸入または空気の流速の範囲内である吸入速度または空気の流速でユーザーに送達するのに利用できる。風味付きニコチン粉末吸入器は、予想可能で計量された用量の風味付きニコチンまたはその他のオプションの有効成分を提供できる。本明細書で説明した本発明の風味付きニコチン粉末吸入器は、従来的な紙巻たばこと同様なサイズおよび構成を持ち、また単純な構成を持つ。
【０００６】
本明細書で説明したとおり、風味付きニコチン粉末吸入器はマウスピースと遠位端部分の間に延びる本体を含み、また空気流チャネルは吸入器の本体に沿って延びる。空気流チャネルに沿ったニコチン粉末容器は、用量のニコチン粉末を保持する。風味送達要素は、空気流チャネルと流体連通している。ニコチン粉末の用量は、約５Ｌ／ｍｉｎ未満またはより好ましい約２Ｌ／ｍｉｎ未満の吸入速度でユーザーの肺に吸入されうる。ニコチン粉末の用量は、吸入器によって貫通されうるカプセル内に含められるニコチン塩であることが好ましい。
【０００７】
本明細書で説明した風味付きニコチン粉末吸入器の様々な態様は、標準的な乾燥粉末吸入器と比較して１つ以上の利点を持ちうる。例えば、風味付きニコチン粉末吸入器は、乾燥粉末ニコチンおよび風味粒子を、従来的な喫煙法での吸入速度または空気の流速の範囲内の吸入速度または空気の流速で、また吸入方法で送達する。これにより、欠陥があるか、または正常に機能していない呼吸状態のユーザーでさえも、乾燥粉末ニコチンおよび風味剤を首尾よく送達できるようになる。本明細書で説明した風味付きニコチン粉末吸入器は、計量された用量の乾燥粉末ニコチンおよび風味剤をユーザーが事前に決定できるような単純な構成を持つ。乾燥粉末ニコチンは、風味送達要素と直列または並列の流れの関係としうる。風味剤は、乾燥粉末または液体風味剤としうる。当業者にとって、本開示を読んで理解することで、本明細書で説明した風味送達システムの１つ以上の態様のさらなる利点は明らかであろう。
【０００８】
「ニコチン」という用語は、ニコチンおよびニコチン塩などのニコチン誘導体を意味する。
【０００９】
「風味剤」または「風味」という用語は、その消費中または吸入中にニコチンの味覚または芳香の特性を変化させる、感覚受容性の化合物、組成物、または材料を意味する。
【００１０】
本開示は、乾燥粉末ニコチンおよび風味剤を吸入するための、風味付きニコチン粉末吸入器を提供する。風味付きニコチン粉末吸入器は、マウスピース部分と遠位端部分の間に延びる本体を含む。空気流チャネルは、マウスピース部分および遠位端部分およびニコチン粉末容器の間を延びる。ニコチン粉末容器は、空気流チャネルに沿って配置され、また用量のニコチン粉末を受け取るように構成される。風味送達要素は、空気流チャネルと流体連通している。用量のニコチン粉末は、従来的な喫煙法で利用された吸入の流速を模倣した約５Ｌ／ｍｉｎ未満または約２Ｌ／ｍｉｎ未満の吸入速度でユーザーの肺に吸入されることができる。風味剤は、ニコチン粒子が吸入されるのと同時にユーザーの口に送達される。本明細書で説明した風味付きニコチン粉末吸入器は、ユーザーの肺によって形成された吸入気流のみを利用して、風味付きニコチン粉末吸入器の本体を通した空気の流れを形成する「受動的」な装置である。
【００１１】
吸入器本体を通した気流経路または空気流チャネルは単純な経路またはチャネルである。数多くの実施形態において、吸入器本体を通した気流経路または空気流チャネルは、吸入器の長軸方向軸と平行であり、吸入器本体の全長に沿って直線的に延びる。一部の実施形態で、吸入器は同延の２つまたは３つの空気流チャネルを含む。１つ、２つまたは３つすべての空気流チャネルはカプセル容器を含むことができる。一部の実施形態で、１つ以上の気流経路または空気流チャネルは、吸入器本体内を移動する気流の回転運動を誘発するように構成された渦発生器要素を含む。渦発生器要素は、１つ以上の個別の気流経路または空気流チャネルよりも大きな容積でありうる出口チャネル内に放出されうる。
【００１２】
ニコチン粉末容器および風味送達要素は、ニコチン粉末および風味剤を同時に提供するように構成・配置される。一部の実施形態で、風味剤は、例えば、カプセル内でニコチン粉末と混合した乾燥粉末である。その他の実施形態で、風味剤は、吸入の前にニコチン粉末と分離されるか、または吸入器の空気流チャネル内で混合される。これらの一部の実施形態で、風味剤およびニコチン粉末は直列の流れで配置され、単一の流れチャネル内に配置され、また風味剤または風味送達要素はニコチン粉末またはニコチン粉末容器の上流または下流のいずれかである。その他の実施形態では、風味剤およびニコチン粉末は並列の流れで配置され、風味剤およびニコチン粉末が混合されて、ニコチン粉末容器および風味送達要素の両方の下流で混合物を形成する一対の流れチャネル内に配置される。
【００１３】
ニコチン粉末容器は、ニコチン粉末のカプセルを受けることができる。カプセルは所定量または用量のニコチン粉末およびオプションの風味剤を含みうる。数多くの実施形態において、カプセルは、少なくとも２回のニコチン粉末の吸入または「吸煙」、または少なくとも約５回のニコチン粉末の吸入または「吸煙」、または少なくとも約１０回のニコチン粉末吸入または「吸煙」を提供するのに十分なニコチン粉末を含みうる。数多くの実施形態において、カプセルは、約５〜５０回のニコチン粉末吸入または「吸煙」、または約１０〜３０回のニコチン粉末吸入または「吸煙」を提供するのに十分なニコチン粉末を含みうる。毎回のニコチン粉末吸入または「吸煙」は、約０．５ｍｇ〜約３ｍｇのニコチン粉末をユーザーの肺に、または約１ｍｇ〜約２ｍｇのニコチン粉末をユーザーの肺に、または約１ｍｇのニコチン粉末をユーザーの肺に送達しうる。
【００１４】
数多くの実施形態において、カプセルは少なくとも約５ｍｇのニコチン粉末または少なくとも約１０ｍｇのニコチン粉末を保持するかまたは含む。数多くの実施形態において、カプセルは約３０ｍｇ未満のニコチン粉末または約２５ｍｇ未満のニコチン粉末、または２０ｍｇ未満のニコチン粉末を保持するかまたは含む。数多くの実施形態において、カプセルは約５ｍｇ〜約３０ｍｇのニコチン粉末または約１０ｍｇ〜約２０ｍｇのニコチン粉末を保持するかまたは含む。
【００１５】
カプセル内でニコチン粉末と混合または結合された風味剤を含む実施形態において、風味剤はユーザーに送達される毎回の吸入または「吸煙」に望ましい風味を提供する量だけ存在する。
【００１６】
カプセルは、吸入器によって貫通または穿孔されうる気密材料で形成されうる。カプセルは、汚染物質をカプセルの内に入れないようにするが、使用時に吸入器によって貫通または穿孔されうる金属材料または高分子材料で形成されうる。
【００１７】
吸入器は、ニコチン粉末のカプセルを貫通するように構成された貫通要素または一対の反対側の貫通要素を含みうる。貫通要素または一対の反対側の貫通要素は、空気流チャネルを用量のニコチン粉末と流体連通させる。貫通要素または一対の反対側の貫通要素は、ニコチン粉末のカプセルをニコチン粉末容器に装填すると、または吸入器本体上のアクチュエータによる要求に応じて、ニコチン粉末のカプセルと係合しうる。
【００１８】
数多くの実施形態において、ニコチン粉末は、薬学的に許容可能なニコチン塩またはニコチン塩水和物である。有用なニコチン塩またはニコチン塩水和物には、例えば、重酒石酸ニコチン、サリチル酸ニコチン、フマル酸ニコチン、モノ−ピルビン酸ニコチン、グルタミン酸ニコチンまたはニコチン塩酸が含まれる。ニコチンと結合して塩または塩水和物を形成する化合物は、その薬理学的効果に基づき選択されうる。例えば、サリチル酸ニコチンは、抗炎症薬または鎮痛剤として解熱のために投与されることができ、フマル酸ニコチンは多発性硬化症を治療するために投与されることができ、モノ−ピルビン酸ニコチンは、慢性閉塞性肺疾患（ＣＯＰＤ）の治療または減量のために投与されることができる。
【００１９】
ニコチン粉末は、ユーザーの肺への吸入送達について有用な任意のサイズ分布を持ちうる。数多くの実施形態において、少なくとも約９０ｗｔ％のニコチン粉末は、約１０マイクロメートル以下、好ましくは約７マイクロメートル以下の粒子サイズを持ちうる。ニコチン粉末は、約０．１〜約１０マイクロメートルの平均直径サイズ範囲を持つことが好ましく、約１〜約７マイクロメートルがより好ましく、約２〜約６マイクロメートルがさらに好ましい。
【００２０】
乾燥粉末吸入用の従来的な製剤は、活性粒子は吸入器を通過する気流によって影響を受けるには一般に小さすぎるため、一般に活性粒子の流動化を増大させる役目をする担体粒子を含む。こうして、担体粒子は製剤中で希釈剤または膨化剤として作用することにより、用量の一様性を向上させるために利用された。ところが、本明細書で説明したニコチン粉末は担体を含まないものとしうる。担体を含まないことにより、ニコチン粉末が吸入され、典型的な喫煙法での吸入速度または空気の流速と同様な吸入速度または空気の流速で、ユーザーの肺に送達される。さらに、ニコチン粉末は担体を含まないため、吸入器の気流経路は、単純な幾何学的形状または単純な構成を持ちうる。
【００２１】
本明細書で説明したニコチン粉末は、ニコチン塩粒子が被覆された粒子である、表面が変性したニコチン塩としうる。好ましい一つの被覆材料はＬ−ロイシンである。これらの担体を含まないニコチン粉末について説明があり、Ｔｅｉｃｏｓ  Ｐｈａｒｍａ  Ｉｎｃ．（Ｅｓｐｏｏ、Ｆｉｎｌａｎｄ）から入手可能である。特に有用な一つのニコチン粉末は、Ｌ−ロイシン被覆された重酒石酸ニコチンである。
【００２２】
風味剤または風味は、液体または固体の風味（摂氏約２２度の室温および１気圧で）として提供することができ、風味製剤、風味を含有する材料および風味前駆体が含まれうる。風味剤は、１つ以上の天然風味剤、１つ以上の合成風味剤、または天然および合成の風味剤の組み合わせを含みうる。
【００２３】
風味剤または風味は、天然または合成に由来する各種の風味材料を意味する。これらには、単一の化合物および混合物が含まれる。風味または風味剤は、ニコチン粉末吸入器の体験を向上させて、例えば、燃焼式の喫煙物品の喫煙から生じるものと類似した体験を提供する風味属性を持つことが好ましい。例えば、風味または風味剤は、口充足感および複雑さなどの風味属性を高めることができる。複雑さは、単一の感覚属性が支配的にならず風味のバランス全体がより豊かなものであることとして、一般的に知られている。口充足感は、消費者の口および喉の中での豊かさおよび量の認識として説明される。
【００２４】
適切な風味および芳香には、たばこ、煙、メントール、ミント（ハッカおよびオランダハッカなど）、ユーカリ、セージ、チョコレート、甘草、柑橘類およびその他の果物風味、γ八量体、バニリン、エチルバニリン、口臭消臭風味、スパイス風味（シナモンなど）、サルチル酸メチル、リナロール、ベルガモット油、ゼラニウム油、レモン油、およびジンジャー油、およびこれに類するものなどの任意の天然または合成の風味または芳香が含まれるが、これらに限定されない。
【００２５】
その他の適切な風味および芳香は、酸、アルコール、エステル、アルデヒド、ケトン、ピラジン、その組み合わせまたは混合物およびそれに類するものを含めた群から選択される風味化合物を含みうる。適切な風味化合物は、例えば、フェニル酢酸、ソラノン、メガスチグマトリエノン、２−ヘプタノン、ベンジルアルコール、ｃｉｓ−３−ヘキセニルアセタート、吉草酸、吉草酸アルデヒド、エステル、テルペン、セスキテルペン、ノートカトン、マルトール、ダマセノン、ピラジン、ラクトン、アネトール、ｉｓｏ−ｓ吉草酸、その組み合わせ、およびこれに類するものから構成される群から選択されうる。
【００２６】
風味のさらなる特定的な例は、現行の文献、例えば、「香水および風味の化学物質（Ｐｅｒｆｕｍｅ  ａｎｄ  Ｆｌａｖｏｕｒ  Ｃｈｅｍｉｃａｌｓ）」、１９６９、Ｓ．  Ａｒｃｔａｎｄｅｒ著、Ｍｏｎｔｃｌａｉｒ  Ｎ．Ｊ．（ＵＳＡ）；「フェナノリの風味成分ハンドブック（Ｆｅｎａｒｏｌｉ’ｓ  Ｈａｎｄｂｏｏｋ  ｏｆ  風味  Ｉｎｇｒｅｄｉｅｎｔｓ）」（ＣＲＣ  Ｐｒｅｓｓ）または「合成食品添加物（Ｓｙｎｔｈｅｔｉｃ  Ｆｏｏｄ  Ａｄｊｕｎｃｔｓ）」（Ｍ．Ｂ．  Ｊａｃｏｂｓ著、ｖａｎ  Ｎｏｓｔｒａｎｄ  Ｃｏ．，  Ｉｎｃ．）にみられる。これらは風味技術分野で、すなわち、臭いや味覚を製品に与える技術分野で当業者によく知られている。
【００２７】
一部の実施形態で、風味剤は力価の高い風味剤であり、一般に吸入気流内で結果的に２００  ｐｐｍ未満となるレベルで使用される。こうした風味剤の例は、β−ダマセノン、２−エチル−３，５−ジメチルピラジン、フェニルアセトアルデヒド、グアイアコール、およびフラネオールなどの主なたばこ芳香化合物である。その他の風味剤は、より高い濃度レベルでのみ人間によって感知されることができる。本明細書では力価の低い風味剤と言及されるこれらの風味剤は一般に、吸入空気内に放出される風味剤が結果的に何桁も多い量のレベルで使用される。適切な力価の低い風味剤は、天然または合成のメントール、ハッカ、スペアミント、コーヒー、お茶、スパイス（シナモン、クローブおよびショウガなど）、ココア、バニラ、果実風味、チョコレート、ユーカリ、ゼラニウム、オイゲノールおよびリナロオールを含むが、これらに限定されない。
【００２８】
風味送達要素は、風味剤を含むカプセルの形態としうる。カプセルは、ユーザーの指またはユーザーによって起動されるその他の機械的手段による圧迫または粉砕などの機械的力により破裂させうる。風味カプセル内の風味剤は液体風味剤が好ましい。風味カプセルは、ニコチン粉末容器の上流に配置しうるが、ニコチン粉末容器の下流であることが好ましい。風味カプセルはフィルター要素内に配置されうる。
【００２９】
風味送達要素は、風味剤が含浸された糸要素としうる。これらの実施形態における風味剤はメントールが好ましい。糸はフィルター要素内に配置されうるが、ニコチン粉末容器の上流であることが好ましい。
【００３０】
風味送達要素を含むフィルター要素は、従来的な酢酸セルロースろ過材料などのろ過材料で形成されうる。ろ過材料は、紙またはプラグラップで包装されたろ過材料のプラグとしうる。ろ過材料は風味送達要素の上流または下流としうるが、風味送達要素の上流または下流の両方に配置されることが好ましい。一部の実施形態で、風味送達要素はろ過材料を貫いて延びる。
【００３１】
第二の有効な薬剤または成分は、風味付きニコチン粉末に沿って送達されうる。第二の有効な薬剤または成分は、カプセル内でニコチンと混合することも、またはそれ自体のカプセル内でニコチンとは別個にすることもできる。第二の有効な薬剤または成分は、風味付きニコチン粉末と共に流動化されて、ユーザーによって吸引されうる。
【００３２】
この第二の有効な薬剤または成分は、任意の有効な医薬材料としうる。数多くの実施形態において、吸入時に材料を混ぜ合わせることにより、第二の有効な薬剤または成分を本明細書で説明したニコチン粉末と風味剤と混合しうる。ニコチン粉末、風味剤および第二の有効な薬剤または成分は、同一のカプセル内で混ぜ合わせてもよく、またはＤＰＩ内の単一の空気の流れチャネル内に順番に供給してもよく、またはＤＰＩの別個の空気流チャネル内に並列に供給してもよい。第二の有効な薬剤または成分は、上述したニコチン粉末と同様な平均直径サイズ範囲を持ちうる。
【００３３】
風味付きニコチン粉末吸入器は既存のＤＰＩと比較してあまり複雑ではなく、簡易な粉末貯蔵場所および気流経路を持ち、また上述のとおり、ラクトースなどの担体成分を必要としない。したがって、説明した風味付きニコチン吸入器では医薬乾燥粉末を分離／脱凝集するための複雑なメカニズムは要求されず、したがって、説明したニコチン吸入器は低い空気流で作動する。吸入器は、上述の乾燥ニコチン粉末を肺に深く送達するために、従来的なＤＰＩの典型的な高い吸入速度を必要としない。
【００３４】
本発明による風味付きニコチン吸入器は、約５Ｌ／ｍｉｎ未満または約３Ｌ／ｍｉｎ未満または約２Ｌ／ｍｉｎ未満または約１．６Ｌ／ｍｉｎの流速を使用して作動する。数多くの実施形態において、流速は、約１Ｌ／ｍｉｎ〜約３Ｌ／ｍｉｎまたは約１．５Ｌ／ｍｉｎ〜約２．５Ｌ／ｍｉｎの範囲である。望ましい実施形態では、吸入速度または流速は、カナダ保健省（Ｈｅａｌｔｈ  Ｃａｎａｄａ）喫煙方法のそれと同様であり、すなわち約１．６Ｌ／ｍｉｎである。対照的に、従来的なＤＰＩは、約４０〜１２０Ｌ／ｍｉｎの流速で作動し、空気の流れを促進してこの空気の流速を達成するために、エネルギー源または噴射剤を必要とすることがよくある。
【００３５】
本明細書で説明した風味付きニコチン吸入器は、従来的な紙巻たばこの喫煙や電子たばこのヴェイピングと同様に消費者によって使用されうる。こうした喫煙やヴェイピングは、消費者が所望する全量のニコチンを含む少量が口のくぼみに吸い込まれる第一のステップと、それに続いて、所望する量のニコチンを含んだエアロゾルを含むこの少量が新鮮な空気によってさらに希釈されて肺に深く吸い込まれる第二のステップという２つのステップによって特徴付けられる。どちらのステップも消費者によって制御される。第一の吸入ステップ中に、消費者は吸入されるニコチンの量を決定できる。第二のステップ中に、消費者は肺に深く吸い込まれる第一の量を希釈するための量を決定でき、気道の上皮表面に送達される有効な薬剤の濃度が最大化される。この喫煙のメカニズムは時には「吸煙−吸入−吐出」と呼ばれる。
【００３６】
すべての学術的および技術的な用語は本明細書で使用される場合、別途指定のない限り、当業界において一般に使用される意味を持つ。本明細書で提供した定義は、本明細書で頻繁に使用される一定の用語の理解を促進するために提供されている。
【００３７】
「上流」および「下流に」という用語は、吸入器本体を通して遠位端部分からマウスピース部分に吸い込まれる際の吸入の空気の流れの方向に対して説明された、吸入器の要素の相対的な位置を意味する。
【００３８】
単数形（「一つの」および「その」）は本明細書で使用される場合、複数形の対象を持つ実施形態を含蓄するが、その内容によって明らかに別途定められている場合はその限りではない。
【００３９】
「または」は本明細書で使用される場合、一般的に、その内容によって明らかにそうでないことが定められている限り、「および／または」を含めた意味で使用される。「および／または」は、列挙された要素の一つまたはすべて、または列挙された要素のうち任意の二つ以上の組み合わせを意味する。
【００４０】
「持つ」、「含む」、「備える」またはこれに類する表現は本明細書で使用される場合、制約のない意味で使用され、一般的に「含むが、これに限定されない」を意味する。「実質的に構成される」、「構成される」およびこれに類する表現は、「含む」およびこれに類する表現に包摂されることが理解される。
【００４１】
「好ましい」および「好ましくは」という語は、ある特定の状況下である特定の利益をもたらす場合がある本発明の実施形態を言及する。ただし、同一またはその他の状況下で、その他の実施形態もまた好ましいものでありうる。その上、一つ以上の好ましい実施形態の列挙は、その他の実施形態が有用ではないことを暗に意味するものではなく、請求の範囲を含めて、本開示の範囲からその他の実施形態を除外する意図はない。
【図面の簡単な説明】
【００４２】
【図１】図１は、例示的な風味付きニコチン粉末吸入器の概略図である。
【図２】図２は、別の例示的な風味付きニコチン粉末吸入器の概略図である。
【図３】図３は、別の例示的な風味付きニコチン粉末吸入器を透明な本体と共に示した概略図である。
【図４】図４は、別の例示的な風味付きニコチン粉末吸入器を透明な本体と共に示した概略図である。
【図５】図５は、別の例示的な風味付きニコチン粉末吸入器を透明な本体と共に示した概略図である。
【図６】図６は、図５の例示的な風味付きニコチン粉末吸入器を線６−６に沿って見た概略断面図である。
【図７】図７は、別の例示的な風味付きニコチン粉末吸入器を透明な本体と共に示した概略図である。
【図８】図８は、別の例示的な風味付きニコチン粉末吸入器の概略図である。
【図９】図９は、別の例示的な風味付きニコチン粉末吸入器の概略図である。
【図１０】図１０は、別の例示的な風味付きニコチン粉末吸入器の概略図である。
【図１１】図１１は、別の例示的な風味付きニコチン粉末吸入器の概略図である。
【発明を実施するための形態】
【００４３】
図１〜１１は、例示的な風味付きニコチン粉末吸入器１０の概略図である。図３〜７は、流れチャネルおよび内部の要素の図示を容易にするために、透明な本体で示されている。概略図の縮尺は必ずしも正確なものではなく、図解の目的で提示されるものであり、限定するものではない。図面は本開示で記述した一つ以上の態様を示す。ただし、図面に描かれていないその他の態様が本開示の範囲および精神に則るものと理解される。
【００４４】
ここで図１および図２を参照するが、風味付きニコチン粉末吸入器１０は、マウスピース部分１２および遠位端部分１４およびそれらの間に配置されたニコチンカプセル２０を含む。貫通要素１１Ａおよび１１Ｂは、カプセル２０を貫通するよう構成され、マウスピース部分１２の空気流チャネル１３を遠位端部分１４の空気流チャネル１５と流体連通させる。空気流チャネルは、ニコチン粉末吸入器１０の長さに沿って直線的に延びる。図２は、再使用可能としうる容器２５内のカプセル２０をさらに図示する。風味送達要素は、カプセル２０の上流、下流、またはその内部としうる。
【００４５】
図３および図４は、単一の直線的な空気流チャネル１３、１５を持つ、風味付きニコチン粉末吸入器１０を図示する。貫通要素１１Ａおよび１１Ｂは、ニコチン粉末容器３０内に延び、ニコチン粉末カプセルを貫通するように構成され、またマウスピース部分１２の空気流チャネル１３を遠位端部分１４の空気流チャネル１５と流体連通させる。空気流チャネルは、ニコチン粉末吸入器１０  の長さに沿って、近位マウスピース端１８から遠位端１９に直線的に延びる。マウスピース部分１２は、バヨネット式の接続によって遠位端部分１４と連結しうる。図３では、マウスピース部分１２は遠位端部分１４とは対称的ではない。図４では、マウスピース部分１２は遠位端部分１４と対称的である。風味送達要素は、空気流チャネル１３、１５に沿って配置されうるが、貫通要素１１Ａおよび１１Ｂまたは別のセットの貫通要素（表示せず）で貫通されうる。
【００４６】
図５および図６は、複数の空気流チャネル１５を持つ例示的なさらなる風味付きニコチン粉末吸入器１０である。図６は図５を線６−６に沿って見た図である。この実施形態は、３つの空気流チャネル１５および第一、第二および第三の粉末容器（それぞれ３０、３２および３３）を含む。ニコチン粉末カプセルおよび風味カプセルは、粉末容器３０、３２および３３の少なくとも一つ内に受けられうる。一部の実施形態で、第二の有効な薬剤は、粉末容器３０、３２および３３の少なくとも一つ内に受けられうる。３つの空気流チャネル１５は、出口チャネル４０に、気流内の回転運動を誘発するよう構成された渦発生器５０を介して流体連通する。空気流チャネル１５は、風味付きニコチン粉末吸入器１０の長さに沿って、近位マウスピース端１８から遠位端１９に直線的に延びる。換気要素７０は、要求に応じて希釈空気を供給するために、空気流チャネル１５に沿って配置されうる。
【００４７】
図７はさらなる例示的な風味付きニコチン粉末吸入器１０である。この実施形態は、３つの空気流チャネル１５Ａ、１５Ｂおよび１５Ｃ、および第一、第二および第三の粉末容器（それぞれ３０、３２および３３）を含む。ニコチン粉末カプセルおよび風味カプセルは、粉末容器３０、３２および３３の少なくとも一つ内に受けられうる。一部の実施形態で、第二の有効な薬剤は、粉末容器３０、３２および３３の少なくとも一つ内に受けられうる。３つの空気流チャネル１５は、出口チャネル４０に、気流内の回転運動を誘発するよう構成された渦発生器５０を介して流体連通する。空気流チャネル１５Ａ、１５Ｂは、風味付きニコチン粉末吸入器１０の長さに沿って、近位マウスピース端１８から遠位端１９に直線的に延びる。一部の実施形態で、気流ループ要素６０は、空気流チャネル１５Ｃに沿って配置される。
【００４８】
図８〜１１は、風味付き吸入器１０の概略図を示す。図８は、単一の流れ経路および粉末ニコチンおよび風味剤（粉末風味剤が好ましい）の両方を含む単一のカプセル１２０を持つ風味付きニコチン吸入器１０を示す。気流経路は、上流部分１５および下流部分１３を含む。
【００４９】
図９は、単一の流れ経路、および風味剤カプセル１００（粉末風味剤が好ましい）と直列の流れで配置された、粉末ニコチンを含むニコチンカプセル２０を持つ、風味付きニコチン吸入器１０を示す。一部の実施形態で、風味剤カプセル１００は液体風味剤を含む。これらの実施形態の多くで、風味剤カプセル１００は、上述の通り、ユーザーが破裂させて液体風味剤を放出できる。液体風味剤は、ニコチンカプセル２０の下流が好ましい。気流経路は、上流部分１５および下流部分１３を含む。
【００５０】
図１０は、並列の流れ経路、および風味剤カプセル１００（粉末風味剤が好ましい）と並列の流れで配置された、粉末ニコチンを含むニコチンカプセル２０を持つ、風味付きニコチン吸入器１０を示す。一部の実施形態で、風味剤カプセル１００は液体風味剤を含む。風味剤カプセル１００は、ニコチンカプセル２０について上述した通り、貫通されうる。気流経路は、上流部分１５および下流部分１３を含む。
【００５１】
図１１は、単一の流れ経路、および風味送達要素１３０と直列の流れで配置された、粉末ニコチンを含むニコチンカプセル２０を持つ、風味付きニコチン吸入器１０を示す。風味送達要素１３０は、風味剤（液体風味剤が好ましい）を含浸した糸を持つフィルター要素としうる。ニコチンカプセル２０は、風味剤を供給するフィルター要素の下流であることが好ましい。気流経路は、上流部分１５および下流部分１３を含む。
【図１】
0006712232.tif 000002
【図２】
0006712232.tif 000003
【図３】
0006712232.tif 000004
【図４】
0006712232.tif 000005
【図５】
0006712232.tif 000006
【図６】
0006712232.tif 000007
【図７】
0006712232.tif 000008
【図８】
0006712232.tif 000009
【図９】
0006712232.tif 000010
【図１０】
0006712232.tif 000011
【図１１】
0006712232.tif 000012